(57)【要約】【課題】  タイルの落下が発生しにくく、しかも施工性に優れる断熱パネルを提供する。【解決手段】  断熱材１の片面に設けた金属板２の表面に、タイル３の裏面に設けた係止凹部５を嵌め込んで係止するための係止凸部４を形成する。断熱パネル１０の係止凸部４にタイル３の係止凹部５を係止して断熱パネル１０にタイル３を取り付けることによって、係止凸部４への係止凹部５の係止によりタイル３を金属板２の表面に保持することができる。また、タイル３を取り付ける前の断熱パネル１０を建物下地に取り付けることができ、重量が軽くなって施工がし易くなると共に建物下地に取り付けた断熱パネル１０に対してタイル３を施工することによって、隣り合うタイル３、３の間に形成される目地の直線性の確保などの目地調整を容易に行うことができる。【選択図】  図１
2006132110.tif 000002
【特許請求の範囲】
【請求項１】
断熱材の片面に設けた金属板の表面に、タイルの裏面に設けた係止凹部を嵌め込んで係止するための係止凸部を形成して成ることを特徴とする断熱パネル。
【請求項２】
ロール成形により係止凸部が形成された鋼板を金属板として用いて成ることを特徴とする請求項１に記載の断熱パネル。
【請求項３】
請求項１又は２に記載の断熱パネルを建物下地に取り付けると共に断熱パネルの係止凸部にタイルの係止凹部を係止することによって、断熱パネルにタイルを取り付けて成ることを特徴とするタイルの取り付け構造。
【発明の詳細な説明】
【技術分野】
【０００１】
本発明は、外壁パネルなどの壁パネル等として用いられる断熱パネル及びこれを用いたタイルの取り付け構造に関するものである。
【背景技術】
【０００２】
従来より、金属製の表皮材の表面に複数枚のタイルを張り付けると共に表皮材の裏面に断熱材を設けるようにしたタイル張サイディングパネルが提案されている（例えば、特許文献１参照）。このタイル張サイディングパネルは複数枚並べて壁を形成することによって、壁の表面をタイル調の外観にすることができるものであり、住宅の外壁のリフォームに好適に用いられている。
【０００３】
しかし、上記のタイル張サイディングパネルでは表皮材に接着剤によりタイルを張り付けているだけであり、接着剤の経時変化等による劣化でタイルが表皮材から落下する恐れがあった。また、上記のタイル張サイディングパネルでは、タイルを保持した状態で施工するために、重くて施工に多大な労力を要し、しかも、複数枚のタイル張サイディングパネルを施工した場合に、隣接するタイル張サイディングパネル同士の目地（タイルとタイルの間に形成される隙間）を合わせるのが非常に難しいものであり、施工性が低いという問題があった。
【特許文献１】特開平１０−８８７７２号公報（特許請求の範囲、図２等）
【発明の開示】
【発明が解決しようとする課題】
【０００４】
本発明は上記の点に鑑みてなされたものであり、タイルの落下が発生しにくく、しかも施工性に優れる断熱パネル及びタイルの取り付け構造を提供することを目的とするものである。
【課題を解決するための手段】
【０００５】
本発明の断熱パネル１０は、断熱材１の片面に設けた金属板２の表面に、タイル３の裏面に設けた係止凹部５を嵌め込んで係止するための係止凸部４を形成して成ることを特徴とするものである。
【０００６】
この発明によれば、断熱パネル１０の係止凸部４にタイル３の係止凹部５を係止して断熱パネル１０にタイル３を取り付けることによって、係止凸部４への係止凹部５の係止によりタイル３を金属板２の表面に保持することができ、接着剤の劣化によるタイル３の落下が発生しにくくなるものである。また、タイル３を取り付ける前の断熱パネル１０を建物下地３９に取り付けることができ、重量が軽くなって施工がし易くなると共に建物下地３９に取り付けた断熱パネル１０に対してタイル３を施工することによって、隣り合うタイル３、３の間に形成される目地の直線性の確保などの目地調整を容易に行うことができ、施工性に優れるものである。さらに、断熱材１を備えることよって断熱性の高い壁などを形成することができるものである。
【０００７】
本発明にあっては、ロール成形により係止凸部４が形成された鋼板を金属板２として用いることができる。
【０００８】
これによれば、アルミニウム製の金属板を用いる場合に比べて、係止凸部４等の形成を容易に行うことができ、安価に製造することができるものである。
【０００９】
本発明のタイルの取り付け構造は、請求項１又は２に記載の断熱パネル１０を建物下地３９に取り付けると共に断熱パネル１０の係止凸部４にタイル３の係止凹部５を係止することによって、断熱パネル１０にタイル３を取り付けて成ることを特徴とするものである。
【００１０】
この発明によれば、係止凸部４への係止凹部５の係止によりタイル３を金属板２の表面に保持することができ、接着剤の劣化によるタイル３の落下が発生しにくくなるものである。また、断熱パネル１０を建物下地３９に取り付けた後にタイル３を断熱パネル１０に取り付けることによって、断熱パネル１０の重量が軽くなって施工がし易くなると共に隣り合うタイル３、３の間に形成される目地の直線性の確保などの目地調整を容易に行うことができ、施工性に優れるものである。
【発明の効果】
【００１１】
本発明は、係止凸部への係止凹部の係止によりタイルを金属板の表面に保持することができ、接着剤の劣化が原因のタイルの落下が発生しにくいものである。また、断熱パネルの重量が軽くなって施工がし易くなると共に隣り合うタイルの間に形成される目地の直線性の確保などの目地調整を容易に行うことができ、施工性に優れるものである。
【発明を実施するための最良の形態】
【００１２】
以下、本発明を実施するための最良の形態を説明する。
【００１３】
本発明の断熱パネル１０は、複数枚のタイル３を取り付けるための下地パネルとして形成されるものであって、例えば、図１に示すように、表面板と裏面板からなる二枚の金属板２、２０の間に断熱材１である芯材を充填して接着して形成されるサンドイッチパネルを用いることができる。金属板２、２０はステンレス鋼板、亜鉛めっき鋼板、塗装鋼板、ガルバリウム鋼板（亜鉛−アルミニウム合金めっき鋼板）などで形成することができ、また、断熱材１はフェノールフォームやウレタンフォームなどの樹脂発泡体やグラスウールやロックウールなどの無機繊維体などで密度２０〜２００ｋｇ／ｍ３に形成したものを用いることができるが、これらのものに限定されるものではない。尚、断熱パネル１０は断熱材１の片面（表面側）のみに金属板２を設けて形成しても良い。また、金属板２、２０の厚みは０．２〜１ｍｍ、断熱材１の厚みは１５〜２００ｍｍ、好ましくは２０〜６０ｍｍとすることができるが、これらに限定されるものではない。また、断熱パネル１０の上端部には嵌合凸部１１が横方向（水平方向）の略全長に亘って形成されていると共に断熱パネル１０の下端部には嵌合凹部１２が横方向の略全長に亘って形成されている。
【００１４】
そして、断熱材１の表面側の片面（屋外側に向く方の片面）に設けた金属板（表面板）２に係止凸部４が形成されている。この係止凸部４は断熱パネル１０の横方向の略全長に亘って連続的に形成されるものであり、また、複数本の係止凸部４が互いに略平行になるように断熱パネル１０の縦方向（上下方向）に並べられている。また、係止凸部４の上部は斜め上方に向くような突起部４ａとして形成されている。この係止凸部４は長尺の平板状の金属板２にロール成形を施すことにより形成することができる。係止凸部４はプレス成形や他の曲げ加工及び絞り加工等により形成してもよいが、これらの方法では長尺の金属板２に対して連続的に係止凸部４を形成するのが難しいので、ロール成形を採用するのが好ましい。また、係止凸部４を形成した金属板２の代わりに、アルミニウム製の部材を用いた場合は材料費や加工費が高くなり、また、ロール成形に比べて加工も難しくなるために、好ましくない。そして、表面に係止凸部４が突設された金属板２と平板状の金属板２０との間に断熱材１を介装することによって、本発明の断熱パネル１０が形成されるものである。
【００１５】
本発明で用いるタイル３は従来から家屋の外壁等に適用される陶磁器製のものを使用することができる。また、タイル３の大きさは特に限定されないが、例えば、縦寸法４０〜８０ｍｍ、横寸法１００〜２５０ｍｍ、厚み７〜２５ｍｍのものを用いることができる。また、タイル３の上端部には接続凸部３０が設けられていると共にタイル３の下端部には下面と裏面とに開口する接続凹部３１が設けられている。さらにタイル３の裏面には係止凹部５がその長手方向（横方向）の略全長に亘って形成されている。係止凹部５の縦方向の寸法は開口側に近づくにつれて小さくなるように形成されており、よって、係止凹部５の上側内面及び下側内面は互いに徐々に近づくように傾斜面に形成されている。
【００１６】
そして、複数枚の断熱パネル１０及び複数枚のタイル３、３…を用いて建物の外壁等の壁を形成するにあたっては、次のようにして行なう。まず、胴縁や間柱等の建物下地（壁下地）３９の表面側（屋外側）に断熱パネル１０を配置し、ドリリングスクリュー（テクス）や釘などの固定具２１を断熱パネル１０の上部及び下部の表面側から打ち込んで建物下地３９にまで貫通させることによって、建物下地３９に断熱パネル１０を取り付ける。このようにして複数枚の断熱パネル１０、１０…を縦横に並べながら取り付けることによって、タイル３を取り付けるためのタイル下地が形成されるが、縦方向に隣接する断熱パネル１０、１０は嵌合凸部１１と嵌合凹部１２との嵌合によって接続するようにする。嵌合凸部１１と嵌合凹部１２の嵌合部分にはパッキン２８が設けられている。
【００１７】
次に、係止凸部４の直下に接着剤２２を塗布する。次に、図２に示すように、係止凸部４に係止凹部５を嵌め込んで突起部４ａを係止凹部５の上縁部５ａに係止するようにして、複数の係止凸部４のそれぞれに１個あるいは複数個ずつのタイル３を取り付ける。このとき、係止凹部５の下縁部５ｂは接着剤（シール剤）２２により係止凸部４の下面及びその近傍の金属板２の表面に接着される。また、タイル３は最も下の係止凸部４から上の係止凸部４に向かって順に取り付けていくようにする。また、上下に隣接するタイル３、３は接続凸部３０と接続凹部３１との嵌合によって接続されると共にこの接続部分において接続凸部３０の表面側（屋外側）には目地３２が形成されている。さらに、断熱パネル１０を取り付ける固定具２１の頭部２１ａはタイル３の上部や下部で覆い隠される。このようにして図３に示すように、断熱パネル１０の表面（屋外面）に複数枚のタイル３を取り付けることによって、壁を形成することができるものである。尚、縦方向に並ぶタイル３、３のピッチをＰ＝５０〜１００ｍｍとすると、断熱パネル１０の縦方向の寸法はほぼＰの整数ｎ倍であって、Ｐ×ｎ＝６００〜１０００ｍｍとすることができ、また、係止凸部４の下面から突起部４ａの先端までの縦方向の寸法ａは１０〜（Ｐ−２０）ｍｍとすることができ、さらに、最も下に位置する係止凸部４から嵌合凹部１２の底面までの寸法ｂは５〜１０ｍｍとすることができるが、これに限定されるものではない。
【００１８】
図４に他の実施の形態を示す。この断熱パネル１０は固定具２１の打ち込み位置に頭部収納凹部２５を設けたものであり、その他の構成は上記実施の形態の断熱パネル１０と同じである。固定具２１がドリリングスクリューや釘などの場合、頭部２１ａが薄いので、金属板２の表面に大きく突出せず、タイル３の取り付けに支障とならないが、固定具２１が六角ボルトなどのボルトの場合、頭部２１ａが厚いので、金属板２の表面に大きく突出し、タイル３を金属板２の表面に取り付けられないなどの支障が生じる。そこで、図４の実施の形態では頭部収納凹部２５を設けたものであり、これにより、図５に示すように、固定具２１としてボルトを用いて断熱パネル１０を建物下地３９に取り付けても金属板２の表面に頭部２１ａを突出させないようにすることができる。つまり、頭部収納凹部２５の底面から建物下地３９までボルト（固定具２１）を螺入して断熱パネル１０を建物下地３９に取り付けることによって、頭部２１ａを頭部収納凹部２５に収納することができ、金属板２の表面に頭部２１ａを突出させないようにすることができるものである。
【００１９】
本発明において、断熱パネル１０の係止凸部４の縦方向の寸法は係止凹部５の縦方向の寸法よりも小さければ適宜設定可能であって、例えば、図６に示すように、係止凸部４の縦方向の寸法が係止凹部５の縦方向の寸法の１／４程度に形成することができる。この場合、上記と同様に係止凸部４に係止凹部５を係止するようにしてタイル３を断熱パネル１０に取り付けるが、タイル３の下部裏面は接着剤２２で金属板２の表面に接着するようにする。
【００２０】
また、図７の断熱パネル１０は、図６のものにおいて係止凸部４の下側に支持突部２６を突設したものである。支持突部２６は係止凸部４と略平行に断熱パネル１０の横方向の略全長に亘って形成されるものであって、係止凸部４と所定の間隔を介して設けられている。この支持突部２６は、上記と同様にしてタイル３を断熱パネル１０に取り付けた際に、係止凸部４とともに係止凹部５の中に挿入されるものであり、支持突部２６が係止凹部５の底面に当接することにより、タイル３を支持することができる。また、支持突部２６の下面及びその近傍に沿って接着剤２２を塗布することもでき、接着剤２２の塗布作業が行ないやすいものである。
【００２１】
図６、７に示すように金属板２の断面形状は各種のものを採用することができる。
【図面の簡単な説明】
【００２２】
【図１】本発明の実施の形態の断熱パネルの一例を示す一部を省略した断面図である。
【図２】同上のタイルを取り付けた状態を示す一部を省略した断面図である。
【図３】同上の斜視図である。
【図４】同上の他の実施の形態の一例を示す一部を省略した断面図である。
【図５】同上のタイルを取り付けた状態を示す一部を省略した断面図である。
【図６】同上のタイルを取り付けた状態を示す一部を省略した断面図である。
【図７】同上のタイルを取り付けた状態を示す一部を省略した断面図である。
【符号の説明】
【００２３】
１  断熱材
２  金属板
３  タイル
４  係止凸部
５  係止凹部
１０  断熱パネル
【図１】
2006132110.tif 000003
【図２】
2006132110.tif 000004
【図３】
2006132110.tif 000005
【図４】
2006132110.tif 000006
【図５】
2006132110.tif 000007
【図６】
2006132110.tif 000008
【図７】
2006132110.tif 000009